(57)【要約】【課題】本発明は、レンズモジュールを提供する。【解決手段】レンズモジュールは、光透過孔を有する鏡筒と、物体側から像側へ向かって順次前記鏡筒内に収容されている少なくとも第１レンズ、スペーサー及び第２レンズとを含み、前記第２レンズは、結像領域となる本体部と、前記本体部の周縁から延出する支持部と、前記支持部の物体側が窪んでなる凹溝とを含み、前記スペーサーは、スペーサー本体と、前記スペーサー本体から前記凹溝へ突出して延在する突起部とを含み、前記突起部は、前記凹溝内に収容されて凹凸嵌合構造をなす。関連技術に比べ、本発明のレンズモジュールは、安定性及び信頼性が高い。【選択図】図１
2019133139.tif 000002
【特許請求の範囲】
【請求項１】
光透過孔を有する鏡筒と、物体側から像側に向かって順次前記鏡筒内に収容されている少なくとも第１レンズ、スペーサー及び第２レンズとを含むレンズモジュールであって、
前記第２レンズは、結像領域となる本体部と、前記本体部の周縁から延出する支持部と、前記支持部の物体側が窪んでなる凹溝とを含み、前記スペーサーは、スペーサー本体と、前記スペーサー本体から前記凹溝へ突出して延在する突起部とを含み、前記突起部は、前記凹溝内に収容されて凹凸嵌合構造をなすことを特徴とするレンズモジュール。
【請求項２】
前記第２レンズは、ガラスからなることを特徴とする請求項１に記載のレンズモジュール。
【請求項３】
前記凹溝は、前記支持部の物体側面から像側方向へ延出する第１壁と、前記第１壁から光軸方向へ延出する第２壁とを含み、前記第２壁が前記本体部の物体側面に接続され、
前記スペーサー本体は、光軸に近接する内壁と、前記内壁に対向する外壁と、前記内壁と前記外壁とを接続して前記第２レンズに近接する底壁とを含み、
前記突起部は、前記底壁から前記凹溝へ延出する第３壁と、前記第３壁から光軸方向へ延出する第４壁とを含み、前記第４壁が前記内壁に接続され、前記第３壁が前記第１壁に当接することを特徴とする請求項１に記載のレンズモジュール。
【請求項４】
前記第１壁は、物体側方向へ突出する円弧状壁であり、前記第３壁は、像側方向へ突出する円弧状壁であり、前記第３壁は、前記第１壁に接することを特徴とする請求項３に記載のレンズモジュール。
【請求項５】
前記第２壁と前記第４壁とは、間隔を空けて設けられていることを特徴とする請求項４に記載のレンズモジュール。
【発明の詳細な説明】
【技術分野】
【０００１】
本発明は、光学結像分野に関し、特に撮像製品分野に適用されるレンズモジュールに関する。
【背景技術】
【０００２】
科学技術の発展に伴い、電子機器がますます知能化に進んでいる。デジタルカメラだけではなく、例えば、タブレットＰＣや携帯電話などの携帯型電子機器にも、撮像機能を発揮するレンズモジュールが配備されていることにより、ユーザの随時撮像のニーズを満足する。
【０００３】
かかる技術のレンズモジュールは、鏡筒と、前記鏡筒内に収容されている少なくとも２つのレンズ、押さえ環及びスペーサーとを含み、前記押さえ環が底部レンズと前記鏡筒との間に設けれ、ディスペンシングの方式で前記レンズを前記鏡筒に固定することにより、前記レンズの固定を実現する。前記スペーサーは、２つの前記レンズ間に介在してレンズ間の光学ピッチを調整するためののものである。
【０００４】
しかしながら、かかる技術では、前記レンズモジュールにおける少なくとも１枚のレンズはガラスからなり、ガラス型の加工制限により、ガラスからなる前記レンズは、多くの構成において装着に制限がある。
【０００５】
よって、上記問題を解決するために、新規なレンズモジュールを提供する必要がある。
【発明の概要】
【発明が解決しようとする課題】
【０００６】
本発明が解決しようとする技術課題は、装着安定性が良好であるレンズモジュールを提供することにある。
【課題を解決するための手段】
【０００７】
上記問題を解決するために、本発明は、光透過孔を有する鏡筒と、物体側から像側に向かって順次前記鏡筒内に収容されている少なくとも第１レンズ、スペーサー及び第２レンズとを含むレンズモジュールであって、前記第２レンズは、結像領域となる本体部と、前記本体部の周縁から延出する支持部と、前記支持部的物体側が窪んでなる凹溝とを含み、前記スペーサーは、スペーサー本体と、前記スペーサー本体から前記凹溝へ突出して延在する突起部とを含み、前記突起部は、前記凹溝内に収容されて凹凸嵌合構造をなすレンズモジュールを提供する。
【０００８】
好ましくは、前記第２レンズは、ガラスからなる。
【０００９】
好ましくは、前記凹溝は、前記支持部的物体側面から像側方向へ延出する第１壁と、前記第１壁から光軸方向へ延出する第２壁とを含み、前記スペーサー本体は、光軸に近接する内壁と、前記内壁に対向する外壁と、前記内壁と前記外壁とを接続して前記第２レンズに近接する底壁とを含み、前記突起部は、前記底壁から前記凹溝へ延出する第３壁と、前記第３壁から光軸方向へ延出する第４壁とを含み、前記第４壁が前記内壁に接続され、前記第３壁が前記第１壁に当接する。
【００１０】
好ましくは、前記第１壁は、物体側方向へ突出する円弧状壁であり、前記第３壁は、像側方向へ突出する円弧状壁であり、前記第３壁は、前記第１壁に接する。
【００１１】
好ましくは、前記第２壁と前記第４壁とは、間隔を空けて設けられている。
【発明の効果】
【００１２】
関連技術に比べ、本発明のレンズモジュールは、前記スペーサーに像側に突出して延出する突起部を設けるとともに、前記第２レンズの前記支持部の物体側が窪んで凹溝を形成して、前記突起部を前記凹溝内に収容して前記スペーサーと前記第２レンズとが逆凹凸嵌合構造を形成することにより、前記第２レンズ、特にガラスからなる前記第２レンズの構造の加工制限を避けて、前記レンズモジュールの装着が自由であり且つ安定性が良好である。
【図面の簡単な説明】
【００１３】
以下、本発明の実施例にかかる技術案をより詳細に説明するために、実施例の記載に使用されている図面を簡単に説明する。明らかに、下記の図面は、本発明の一部の実施例に過ぎず、当業者にとって、創造的労力をしない前提で、それらの図面に基づいて他の図面を取得することが可能である。
【図１】本発明のレンズモジュールの構成の模式図である。
【図２】図１におけるスペーサー及び第２レンズの構成の分解図である。
【発明を実施するための形態】
【００１４】
以下、本発明の実施例にかかる図面を参照しながら、本発明の実施例にかかる技術案を詳細且つ完全に説明する。明らかに、説明する実施例は、本発明の一部の実施例に過ぎず、全部の実施例ではない。当業者が本発明の実施例に基づいて創造的労力をしない前提で取得する他の実施例のすべては、本発明の保護範囲に属する。
【００１５】
図１〜２に示すように、本発明は、レンズモジュール１００を提供する。レンズモジュール１００は、鏡筒１と、前記鏡筒１内に収容されている少なくとも第１レンズ２、スペーサー３及び第２レンズ４とを含む。
【００１６】
前記鏡筒１は、光透過孔１１を有する。
【００１７】
前記第１レンズ２、前記スペーサー３及び前記第２レンズ４は、物体側から像側方向に順次積層されている。本実施態様では、レンズの数は、２枚に限定されず、必要に応じて配置することが可能である。
【００１８】
前記スペーサー３は、スペーサー本体３１と、前記スペーサー本体３１から前記第２レンズ４へ突出して延在する突起部３２とを含む。
【００１９】
前記第２レンズ４は、結像領域となる本体部４１と、前記本体部４１の周縁から延出する支持部４２と、前記支持部４２の物体側が窪んでなる凹溝４３とを含む。
【００２０】
具体的には、前記突起部３２は、前記凹溝４３へ突出して形成されている。前記突起部３２は、前記凹溝４３内に収容されて凹凸嵌合構造を形成する。
【００２１】
本実施態様では、前記第２レンズ４は、ガラスからなる。その本体部４１が像側方向に窪む円弧状構成である場合、ガラスの加工成形に制限があるので、スペーサー３への装着が不安定になる。これに対して、上記突起部３２と前記凸槽４３とが形成する逆凹凸嵌合構造により、両方の装着結合が容易であり、且つ安定性が良好である。
【００２２】
具体的には、前記凹溝４３は、前記支持部４２の物体側面４２１から像側方向へ延出する第１壁４３１と、前記第１壁４３１から光軸方向へ延出する第２壁４３２とを含み、前記第２壁４３２が前記本体部４１の物体側面に接続されている。
【００２３】
前記スペーサー本体３１は、光軸に近接する内壁３１１と、前記内壁３１１に対向する外壁３１２と、前記内壁３１１と前記外壁３１２とを接続して前記第２レンズ４に近接する底壁３１３とを含む。
【００２４】
前記突起部３２は、前記底壁３１３から前記凹溝４３へ延出する第３壁３２１と、前記第３壁３２１から光軸方向へ延出する第４壁３２２とを含む。前記第４壁３２２が前記内壁３１１に接続され、前記第３壁３２１が前記第１壁４３１に当接する。
【００２５】
本実施態様では、前記第１壁４３１は、物体側方向へ突出する円弧状壁であり、前記第３壁３２１は、像側方向へ突出する円弧状壁であり、前記第３壁３２１は、前記第１壁４３１に接する。
【００２６】
より好ましくは、前記第２壁４３２と前記第４壁３２２とは、間隔を空けて設けられている。
【００２７】
関連技術に比べ、本発明のレンズモジュールは、前記スペーサーに像側に突出して延出する突起部を設けるとともに、前記第２レンズの前記支持部の物体側が窪んで凹溝を形成して、前記突起部を前記凹溝内に収容して前記スペーサーと前記第２レンズとが逆凹凸嵌合構造を形成することにより、前記第２レンズ、特にガラスからなる前記第２レンズの構成の加工制限を避けて、前記レンズモジュールの装着が自由であり且つ安定性が良好である。
【００２８】
上述したのは、本発明の実施例に過ぎず、これにより本発明の請求の範囲を制限するものではない。本発明の明細書及び図面の記載に基づいて行う等価構成や等価工程の変換、直接又は間接に他のかかる技術分野への転用も、同様に本発明の保護範囲に含まれる。
【図１】
2019133139.tif 000003
【図２】
2019133139.tif 000004